(57)【特許請求の範囲】
【請求項１】
燃料が供給される燃料極と酸化剤が供給される酸化剤極と前記燃料極及び前記酸化剤極に挟持された固体高分子電解質膜を備える発電部と、
前記発電部に、前記燃料極の前記電解質膜が配置された面に対向するように設けられ燃料が供給される燃料供給空間を有する燃料極部と、
複数の燃料前駆体を接触させ化学反応を行うことによって前記燃料を発生させ、前記燃料極部に対して前記燃料を供給する燃料供給源とを有し、
前記燃料供給源は、
複数の燃料前駆体をそれぞれ貯蔵する複数の貯蔵部と、
前記複数の燃料前駆体のうち、少なくともいずれかの前記貯蔵部に貯蔵された前記燃料前駆体を他方の前記貯蔵部へ移動させる燃料制御機構とを有し、
前記燃料制御機構は、前記燃料と前記酸化剤との反応により前記燃料極に蓄積する不純物に関する物理量に基づいて前記燃料前駆体の移動を制御する供給制御を行い、
前記不純物の少なくとも一部は、前記供給制御によって発生した前記燃料の圧力で除去されるものであることを特徴とする燃料電池。
【請求項２】
前記燃料制御機構は、前記不純物に関する物理量を検出する物理量検出部を備え、
前記物理量検出部が、前記不純物が前記燃料極に所定量以上蓄積した事を示す前記物理量を検出したときに前記燃料前駆体の移動を通常運転時よりも増加させる増加供給制御を行う事を特徴とする請求項１に記載の燃料電池。
【請求項３】
前記燃料制御機構は、前記不純物に関する物理量を検出する物理量検出部を備え、
前記物理量検出部が、前記不純物が前記燃料極に所定量以上蓄積した事を示す前記物理量を検出したときに前記燃料前駆体の移動を減少させる減少供給制御と、前記減少供給制御の後に前記燃料前駆体の移動を増加させる増加供給制御とを行う事を特徴とする請求項２に記載の燃料電池。
【請求項４】
前記燃料供給源と前記発電部との間には、前記燃料を前記燃料極部に供給する開状態と、前記燃料を前記燃料極部に供給しない閉状態とのどちらかを維持する燃料弁を備え、
前記燃料弁は、減少供給制御を行っているときに、前記閉状態となることを特徴とする請求項３に記載の燃料電池。
【請求項５】
前記燃料極部は、前記燃料極部の内部の不純物を排出する排出部と連結することを特徴とする請求項１から４のいずれか一項に記載の燃料電池。
【請求項６】
前記燃料極部と前記排出部とは着脱可能であり、
前記燃料極部と前記排出部との間には、前記燃料極部の内部の不純物を前記排出部に排出する開状態と、前記燃料極部の内部の不純物を前記排出部に排出しない閉状態とのどちらかを維持する排出弁を備え、
前記排出弁は、前記燃料極部に備えられている事を特徴とする請求項５に記載の燃料電池。
【請求項７】
前記燃料極部は、前記燃料が前記燃料極の面方向に対して垂直方向に供給される燃料流路を備えることを特徴とする請求項１から６のいずれか一項に記載の燃料電池。
【請求項８】
前記燃料流路は、前記燃料が前記燃料極の面方向に拡散する拡散部を備えることを特徴とする請求項７に記載の燃料電池。
【請求項９】
前記燃料供給空間は、前記燃料極に対して設けられた溝であることを特徴とする請求項５または６に記載の燃料電池。
【請求項１０】
前記物理量は、前記発電部の電圧値であり、前記物理量検出部は前記電圧値が所定値以下となる状態を検出することを特徴とする請求項２から９のいずれか一項に記載の燃料電池。
【請求項１１】
前記物理量は、前記発電部の電流値であり、前記物理量検出部は前記電流値が所定値以上となる状態を検出することを特徴とする請求項２から９のいずれか一項に記載の燃料電池。
【請求項１２】
前記物理量は、前記燃料電池が発電を開始してからの時間であり、前記物理量検出部は前記時間が所定時間を経過した状態を検出することを特徴とする請求項２から９のいずれかに記載の燃料電池。
【請求項１３】
前記貯蔵部と前記排出部とは、前記発電部から着脱可能なカートリッジ構造である事を特徴とする請求項４から１２のいずれかに記載の燃料電池。
【発明の詳細な説明】
【技術分野】
【０００１】
本発明は発電部及び燃料貯蔵源を備えた燃料電池に関する。
【背景技術】
【０００２】
現在燃料電池には多数の方式が存在するが、電子機器に用いられる燃料電池は、そのシステムの小型化・簡素化が容易である事から固体高分子形燃料電池の適用が有望である。固体高分子形燃料電池は、燃料極と酸化剤極と両極に挟持された固体高分子電解質膜とから成る単電池によって構成され、燃料極側にメタノールや水素等の燃料を供給し、酸化剤極側に酸化剤気体、例えば酸素や空気を供給し、これらの電気化学反応により電力を発生する。その中でも燃料極に水素を供給する直接水素型燃料電池は発電電圧が高く注目されている。なお直接水素型燃料電池は燃料極側の水素を循環させるフロー系と水素の循環を行わないデッドエンド系に大別されるが、特にノートパソコンや携帯電話等のモバイル機器においては補機等の構成要素が少ないデッドエンド系の方が高エネルギー密度化が容易である為適している。
【０００３】
ところで燃料電池の発電反応の過程で酸化剤極において水が生成する。酸化剤極で生成した水の多くは空気中に蒸発するが、温度や湿度等の運転環境によって固体高分子電解質膜を通して燃料極に水が移動し、逆拡散水として燃料極に移動する。フロー系の燃料電池では逆拡散水は燃料ガスの移動に伴い燃料極から移動し、燃料極から除去されるが、デッドエンド系の燃料電池では燃料ガスの移動速度が遅い為に、逆拡散水は燃料極から移動せずに蓄積される場合がある。逆拡散水は微量であれば燃料電池の発電反応に影響はないが、継続した発電を行った場合には燃料極の触媒層表面を覆ってしまい拡散過電圧の増大を引き起こして発電性能の著しい低下を招く事がある。
【０００４】
上記課題に対し、燃料極に対して一時的に通常運転よりも高圧力の水素を供給する事によって燃料極に存在する水を除去する方法が提案されている（例えば特許文献１参照）。特許文献１に係る燃料電池は発電部と、燃料供給源から供給される燃料ガスを発電部に流通させる燃料流路と、燃料流路内の燃料ガス圧力を通常運転圧力よりも高圧力に制御する圧力制御機構と、圧力制御機構の高圧力制御によって作動し燃料流路内の水やその他発電の妨げとなる不純物を燃料電池外に排出する不純物排出機構を備えている。特許文献１に係る燃料電池では燃料電池の状態をモニタリングしており、発電開始から所定の時間が経過した場合、あるいは燃料電池の電圧が所定の値を下回った場合、あるいは燃料電池内の不純物濃度が所定値を上回る場合、あるいは燃料電池内の燃料濃度が所定値を下回った場合等のタイミングで燃料流路の圧力を上昇させる。また圧力制御機構の動作に伴い、燃料電池内の不純物を外部へと放出させるべく圧力が所定値以上になった時にのみ開弁する不純物排出機構が備えられている。上記動作によれば燃料流路内の不純物を発電部から除去する事が可能である。
【０００５】
しかしながら上述の特許文献１に係る燃料電池では、圧力制御機構にレギュレータバルブを用いており、燃料供給源は常に高圧の燃料を供給する必要がある為、燃料供給源には水素吸蔵合金や高圧水素ボンベが使用される。上記の燃料供給源は高い耐圧性を有する為、非常に堅牢な構造であり燃料電池システムが大型化してしまう。
【０００６】
また、燃料供給源として、水素化合物と水等の複数種類の燃料前駆体を反応させて燃料ガスを発生して発電部に供給する燃料ガス発生器を用いる場合がある。このような燃料供給源は、発電に必要な分の燃料を発生させる為に、比較的低圧で駆動させることが可能であり、堅牢な構造を必要としない為、燃料電池システムの小型化が望める。しかし燃料を低圧で燃料流路に供給する為に、特許文献１に係る技術を適用してもレギュレータバルブに入力する１次圧が低い為に、燃料流路内の不純物を十分に排除する事が困難である。
【先行技術文献】
【特許文献】
【０００７】
【特許文献１】特開２００８−４１６４７号公報
【発明の概要】
【発明が解決しようとする課題】
【０００８】
そこで、本発明は上記状況に鑑みてなされたもので、複数の燃料前駆体を反応させて燃料を発生させる燃料供給源を用いた場合でも、燃料極の不純物を適切に除去する事ができる燃料電池を提供する事を目的とする。
【課題を解決するための手段】
【０００９】
上記課題を解決するための本発明の燃料電池の第１の特徴は、燃料が供給される燃料極と酸化剤が供給される酸化剤極と燃料極及び酸化剤極に挟持された固体高分子電解質膜を備える発電部と、発電部に、燃料極の電解質膜が配置された面に対向するように設けられ燃料が供給される燃料供給空間を有する燃料極部と、複数の燃料前駆体を接触させ化学反応を行うことによって燃料を発生させ、燃料極部に対して燃料を供給する燃料供給源とを有し、燃料供給源は、複数の燃料前駆体をそれぞれ貯蔵する複数の貯蔵部と、複数の燃料前駆体のうち、少なくともいずれかの貯蔵部に貯蔵された燃料前駆体を他方の貯蔵部へ移動させる燃料制御機構とを有し、前記燃料制御機構は、前記燃料と酸化剤との反応により燃料極に蓄積する不純物に関する物理量に基づいて燃料前駆体の移動を制御する供給制御を行い、不純物の少なくとも一部は、供給制御によって発生した燃料の圧力で除去されるものであることを要旨とする。
【００１０】
かかる特徴によれば燃料前駆体を貯蔵部の内部で反応させて発生した燃料を発電部に供給する燃料電池において、発生する燃料の供給量を変えることによって燃料極に溜まる不純物を移動させて発電性能の回復を行う事が出来る。
【００１１】
また本発明の燃料電池の第２の特徴は、第１の特徴の燃料電池において、前記燃料制御機構は、不純物に関する物理量を検出する物理量検出部を備え、物理量算出部が、不純物が燃料極に所定量以上蓄積した事を示す物理量を算出したときに燃料前駆体の移動を増加させる増加供給制御を行う事を要旨とする。
【００１２】
かかる特徴によれば除去が必要となる量の不純物が燃料極に溜まった事を検出して燃料前駆体の反応させる速度を増加させて、通常運転よりも速い速度で燃料を燃料極に対して供給するので、噴射された燃料によって燃料極に溜まった不純物を適切なタイミングで移動する事が出来る。
【００１３】
また本発明の燃料電池の第３の特徴は、第２の特徴の燃料電池において、前記燃料制御機構は、不純物に関する物理量を検出する物理量検出部を備え、物理量算出部が、不純物が燃料極に所定量以上蓄積した事を示す物理量を算出したときに燃料前駆体の移動を減少させる減少供給制御と、減少供給制御の後に燃料前駆体の移動を増加させる増加供給制御とを行う事を要旨とする。
【００１４】
かかる特徴によれば第２の特徴の燃料電池の効果に加え、通常運転よりも速い速度で供給される燃料の量が増加し、燃料極部に対してより長い時間燃料が噴射されて供給されるので、燃料極に溜まった不純物の移動をより確実に行う事が出来る。
【００１５】
また本発明の燃料電池の第４の特徴は、第３の特徴の燃料電池において、燃料供給源と発電部との間には、燃料を燃料極部に供給する開状態と、燃料を燃料極部に供給しない閉状態とのどちらかを維持する燃料弁を備え、燃料弁は、前記燃料制御機構が減少供給制御を行っているときに、閉状態となることを要旨とする。
【００１６】
かかる特徴によれば、燃料極部に供給する燃料の供給速度が一時的に勢いを増す事が出来る為、燃料極に溜まった不純物の移動をより確実に行う事が出来る。
【００１７】
また本発明の燃料電池の第５の特徴は、第１から４の特徴のいずれかに記載の燃料電池において、燃料極部は、燃料極部の内部の不純物を排出する排出部と連結することを要旨とする。
【００１８】
かかる特徴によれば、燃料極に溜まった不純物は圧力差によって供給速度が増した燃料によって排出部へと移動するため、燃料極部内の不純物をより確実に除去する事が出来る。
【００１９】
また本発明の燃料電池の第６の特徴は、第５の特徴の燃料電池において、燃料極部と排出部とは着脱可能であり、燃料極部と排出部との間には、燃料極部の内部の不純物を排出部に排出する開状態と、燃料極部の内部の不純物を排出部に排出しない閉状態とのどちらかを維持する排出弁を備え、排出弁は、燃料極部に備えられている事を要旨とする。
【００２０】
かかる特徴によれば、排出部内に移動した不純物は排出部を交換する事により燃料電池装置の外部へと除去することが出来、連続運転時における不純物の除去回数を大幅に増やす事が出来る。
【００２１】
また本発明の燃料電池の第７の特徴は、第１から６の特徴のいずれかに記載の燃料電池において、燃料極部は、燃料が燃料極の面方向に対して垂直方向に供給される燃料流路を備えることを要旨とする。
【００２２】
かかる特徴によれば、燃料は燃料流路を通る事によって燃料極近傍まで速い供給速度を維持したまま供給できるので、より確実に不純物の除去を行う事が出来る。
【００２３】
また本発明の燃料電池の第８の特徴は、第７の特徴の燃料電池において、燃料流路は、燃料が燃料極の面方向に拡散する拡散部を備えることを要旨とする。
【００２４】
かかる特徴によれば、燃料流路から供給された燃料は拡散部により燃料極に沿って広範囲に渡って供給されるので、不純物の除去をより広範囲に行う事が出来る。
【００２５】
また本発明の燃料電池の第９の特徴は、第５または６の特徴の燃料電池において、燃料供給空間は、燃料極に対して設けられた溝であることを要旨とする。
【００２６】
かかる特徴によれば、燃料供給空間は溝状に形成されているので、燃料供給空間に不純物が溜まった場合に、より確実に不純物を排出部へ移動する事が出来る。
【００２７】
また本発明の燃料電池の第１０の特徴は、第２から９の特徴のいずれかに記載の燃料電池において、物理量は、発電部の電圧値であり、物理量検出部は電圧値が所定値以下となる状態を検出することを要旨とする。
【００２８】
かかる特徴によれば、燃料電池の電圧を読み取って減少供給制御または増加供給制御を制御するので、燃料電池に対して過度な負荷を燃料電池に与える事なく安全に燃料極の水の除去が出来る。
【００２９】
また本発明の燃料電池の第１１の特徴は、第２から９の特徴のいずれかに記載の燃料電池において、物理量は、発電部の電流値であり、物理量検出部は電流値が所定値以上となる状態を検出することを要旨とする。
【００３０】
かかる特徴によれば、燃料電池の電流を読み取って減少供給制御または増加供給制御を制御するので、燃料電池に対して過度な負荷を燃料電池に与える事なく、安全に燃料極の水の除去が出来る。
【００３１】
また本発明の燃料電池の第１２の特徴は、第２から９の特徴のいずれかに記載の燃料電池において、物理量は、燃料電池が発電を開始してからの時間であり、物理量検出部は時間が所定時間を経過した状態を検出することを要旨とする。
【００３２】
かかる特徴によれば、燃料電池が発電を開始してからの時間を読み取って定期的に停止制御と供給制御を切り替えるので、不純物の除去をより確実に行う事が出来る。
【００３３】
また本発明の燃料電池の第１３の特徴は、第４から１２の特徴のいずれかに記載の燃料電池において、貯蔵部と排出部とは、発電部から着脱可能なカートリッジ構造である事を要旨とする。
【００３４】
かかる特徴によれば、可搬型の燃料電池において、カートリッジの交換により連続して発電を行えるので、長時間の発電が可能である。
【発明の効果】
【００３５】
本発明によれば、複数の燃料前駆体を反応させて燃料を発生させる燃料供給源を用いた場合でも、燃料極の不純物を適切に除去する事ができる燃料電池を提供する事が可能である。
【図面の簡単な説明】
【００３６】
【図１】本発明の一実施例に係る燃料電池１の全体の概略構成である。
【図２】本発明の実施例の形態１における燃料電池の概略図である。
【図３】固体高分子電解質膜と酸化剤極及び燃料極の部分拡大図である。
【図４】本発明の実施の形態１における燃料電池の電圧と燃料圧力の遷移図である。
【図５】本発明の実施の形態２における燃料電池の電圧と燃料圧力の遷移図である。
【図６】本発明の実施の形態３における燃料電池の概略図である。
【図７】本発明の実施の形態４における燃料電池の概略図である。
【図８】本発明の実施の形態５における燃料極部の拡大断面図である。
【図９】本発明の実施の形態５の変更例における燃料極部の拡大断面図である。
【図１０】本発明の実施の形態６における燃料極部の分解斜視図である。
【発明を実施するための形態】
【００３７】
（実施の形態１）
図１から図４に基づいて本発明の実施の形態１における燃料電池１の実施例を説明する。
【００３８】
図１には本発明の一実施例に係る燃料電池１の全体の概略構成、図２には燃料電池１の概略図、図３は固体高分子電解質膜２１と酸化剤極２２及び燃料極２３の部分拡大図、図４は本実施例の燃料電池１を動作したときの発電部２の電圧と燃料の圧力の遷移図を示してある。
【００３９】
図１に示されるように、燃料電池１は、発電部２と、燃料供給源３から構成される。
【００４０】
図２に示すように発電部２は固体高分子電解質膜２１の両面に酸化剤が供給される酸化剤極２２と燃料が供給される燃料極２３を有する。ここで酸化剤としては通常大気中の酸素が用いられる事が多いが、窒素などの不純物を排除するために酸素ボンベなどによって純酸素を供給しても良い。燃料極２３に与えられる燃料としては水素が挙げられる。燃料は燃料供給源３の内部の複数の貯蔵部にそれぞれ収容されている複数の燃料前駆体３２が複数の貯蔵部の一部である反応部３１の内部で反応する事によって得られる。ここで燃料前駆体３２の具体例として水素化ホウ素ナトリウム・水素化アルミ等の水素化化合物やアルミ等の金属や水・触媒を含む触媒溶液が挙げられ、上記水素化化合物や金属と水や触媒溶液を接触させる事で、水素発生反応が生じる事が知られている。複数の燃料前駆体３２を反応させるには、燃料制御機構３３が一方の燃料前駆体２を他方の燃料前駆体２の存在する反応部３１に供給するという方法がある。また反応部３１ではない貯蔵部に設置された複数の燃料前駆体２が、燃料制御機構３３によって同時に反応部３１へと送られるという方法もある。本発明の技術は少なくとも１種類の燃料前駆体３２が、燃料制御機構３３により反応前とは異なる場所へ移動することによって燃料の発生を行う系に適用される。当然の事ながら燃料前駆体３２を反応部３１へ供給されなければこのような系において燃料は発生しない。なお本明細書においては、燃料制御機構３３が燃料前駆体３２を反応部３１へと供給する動作を供給制御、燃料制御機構３３が燃料前駆体３２を反応部３１へ供給していない状態を停止制御と呼ぶ。また通常運転時よりも大きな電力を発生する高負荷運転時においても燃料の安定した供給が可能であるように、燃料供給源３における供給制御をしている間の燃料発生速度は発電部２が発電で使用する燃料消費速度よりも速い事が好ましい。
【００４１】
複数の燃料前駆体３２は適切なタイミングで反応をさせなければ、発生する燃料が過剰になり発電部２が高圧の状況を招いたり、発生する燃料が少ない為に燃料不足による発電性能の低下を招く。そこで燃料前駆体３２の供給制御を行う必要があるが、供給制御には幾つかの種類が存在する。一つは燃料制御機構３３は燃料供給空間２５の内部圧力を検出し、反応部３１の圧力が燃料供給空間２５の圧力よりも低い場合には燃料前駆体３２を反応部３１へと移動し燃料を発生させる。逆に反応部３１の圧力が高い場合には燃料前駆体３２の反応部３１への移動を停止させる。この制御方法であれば燃料供給空間２５の内部圧力をほぼ一定に保ち発電部２の発電を行う事が出来る。なお本制御方法は電力を用いず、燃料供給空間２５の内部圧力を検出する手段自体が燃料前駆体３２の移動を行う構造も含む。
【００４２】
その他の制御方法としては、燃料制御機構３３は発電部２の発電量を検出しており、発電量から消費される燃料の量を算出し、必要な量の燃料を発生させるべく燃料前駆体３２を反応させるというものである。上記圧力を利用した制御方法であると、発電部２での発電による燃料の消費によって圧力が変動する為、供給制御と停止制御への移行には若干の遅延が生じる可能性がある。しかしながら燃料の消費量を算出する制御方法であれば上記遅延が生じる事がなく燃料供給空間２５の内部圧力をほぼ一定に保ち発電部２の発電を行う事が可能である。
【００４３】
その他の制御方法としては、発電部２の発電量が一定である場合や発電電力の変動が予め詳細にわかっている場合に限られるが、発電部２を発電してからの発電電力の推移に併せて供給制御及び停止制御を行うものである。この制御方法によれば上述の発電量を検出する制御方法と同様に、遅延が生じる事がなく燃料供給空間２５の内部圧力をほぼ一定に保ち発電部２の発電を行う事が可能である。
【００４４】
上記制御方法によって燃料の発生流量は適切な値に制御されるが、発電部２の発電量に必要な燃料を発生させる制御方法であれば上記例には限らない。また本発明の燃料電池１において燃料を発生させるこれらの制御方法は単独で用いても良いし、複数の制御方法を組み合わせても利用しても良い。
【００４５】
発電部２には、供給された燃料が発電部２の外部へ漏洩する事を防ぐ為に、燃料極２３は外壁２４によって囲われた燃料供給空間２５を有する燃料極部２６があり、燃料供給空間２５は燃料極２３の固体高分子電解質膜２１が配置された面に対向するように設けられている。また同様の理由で固体高分子電解質膜２１と外壁２４が接する箇所には封止手段が備えられている事が好ましい。封止手段の例としてはパッキン・接着剤を利用したシール、固体高分子電解質膜２１を外壁２４へと熱融着させる等のシール方法があるが、固体高分子電解質膜２１と外壁２４の接触箇所の機密性が得られる方法であればこれに限らない。このように封止手段によって閉鎖空間になる燃料供給空間２５に燃料供給源３から燃料が供給される。また図２に示すように発電部２と燃料供給源３が互いに距離を空けて備えられており燃料供給源３から発電部２に対して燃料を直接供給する事が難しい場合には、お互いを燃料が内部を移動する事が出来る配管やチューブ等の燃料供給路３４を利用する事も可能である。
【００４６】
次に酸化剤極２２と燃料極２３との詳細な構成と発電部２の発電動作を図３を用いて説明する。固体高分子電解質膜２１は白金、ルテニウム、コバルトに代表される触媒が担持されたカーボン粒子が全面に塗布された層である触媒層をその表面に有している。触媒層は酸化剤極２２側の触媒層２２１と燃料極２３側の触媒層２３１というように両面に配置されている。更に両面の触媒層の表面には導電性と通気性を両立する酸化剤極２２側と燃料極２３側の両面にガス拡散層２２２・２３２を有している事が好ましい。ガス拡散層２２２・２３２は燃料を透過するために多孔質となっており、また導電性を得るべく金属やカーボン等の導電体によって形成される。
【００４７】
燃料供給空間２５に与えられた燃料はガス拡散層２３２中の空孔を通して燃料極２３側の触媒層２３１へと到達し、触媒上で以下に示す反応が生じプロトンと電子へと変わる。
【００４８】
H 2 →２H +＋２ｅ -                                （式１）
触媒上で発生したプロトンは固体高分子電解質膜２１中を移動して酸化剤極２２側の触媒層２２１へと運搬される。また電子は触媒層よりも導電性の高いガス拡散層２３２中を移動して図示していない外部回路へと移動する。外部回路の先には燃料電池１で発電した電力により駆動する電子機器が接続されており、さらに電子機器の先には酸化剤極２２側のガス拡散層２２２と接続される。
【００４９】
一方酸化剤極２２側では空気中の酸素がガス拡散層２２２中の空孔を通して酸化剤極２２側の触媒層２２１へと到達する。酸化剤極２２側の触媒層２２１では固体高分子電解質膜２１を通して運搬されたプロトンと酸素と外部回路を通して移動してきた電子と以下の反応を起こし水を生成する。
【００５０】
（１／２）Ｏ2 ＋２Ｈ+＋２ｅ -→Ｈ2 Ｏ                  （式２）
このような電気化学反応を経て燃料電池１は電力を発生し電子機器を駆動する事ができる。なお触媒の例を上に挙げたが、発電部２の発電反応においてプロトンを生成できるものであれば触媒の種類はこれには限らない。またガス拡散層２２２・２３２は触媒層２２１・２３１と比較すると電気抵抗は低いが、金属やカーボンに比べると電気抵抗は高い為に、固体高分子電解質膜２１の面積が広い場合には外部回路へと移動する間に抵抗成分が加わり電圧が低下してしまう。このような電圧低下を改善する為に、ガス拡散層２２２・２３２の触媒層２２１・２３１と接する面と反対側の面に接するようにガス拡散層２２２・２３２よりも導電性の高いカーボン樹脂や金属で形成された電極板を設けても良い。
【００５１】
ここで酸化剤極２２で発生した水の多くは酸化剤極２２に面する空気中に蒸発するが、一部は固体高分子電解質膜２１を通して燃料極２３へと透過する。燃料極２３へと移動した水は燃料供給空間２５へと蒸発するが、燃料供給空間２５は閉鎖空間である為に蒸気圧が運転状態の温度における飽和水蒸気圧に達すると水は液滴として燃料極部２６に溜まり始める。また酸化剤極２２が大気に面している場合には、空気中の気体が固体高分子電解質膜２１を通して燃料供給空間２５へと透過してくる。透過してくる気体の主成分のうち酸素は燃料極上でプロトン反応して水になるが、窒素は燃料供給空間２５の内部に留まり続ける。本明細書においては上記水や窒素などを不純物としている。
【００５２】
発電部２の発電における抵抗成分は、触媒上での反応に係る活性過電圧、構成部材の電気抵抗による抵抗過電圧、燃料の供給阻害による拡散過電圧の三種に大きく分けられる。拡散過電圧は不純物が燃料極２３の表面を覆う事によって燃料極２３に対して燃料の供給が阻害されたり、燃料不足で燃料が燃料極２３に対する供給量が低下した場合等に上昇する。
【００５３】
次に図４を用いて本発明の燃料電池１の動作について説明を行う。通常運転時には燃料制御機構３３は供給制御と停止制御を繰り返す事によってほぼ一定の圧力で燃料を燃料極２３に対して供給している。この状態で発電部２を発電させると上述のように燃料極部２６の面全体にほぼ一様に水が溜まり、溜まった水は燃料極２３上を覆ってしまい触媒層２３１に対する燃料の供給を阻害して、図４に示すように発電部２の電圧が徐々に低下してくる（区間ａ）。そこで水が燃料極部２６に所定量以上溜まったところで燃料制御機構３３は区間ａにおける燃料の消費量よりも多くの燃料を発生させるべく燃料前駆体３２の移動速度を速くする増加供給制御へと移行する（ｔ１）。増加供給制御を一定時間保持している状態の間に燃料供給源３が発生する燃料の量は該時間における燃料消費量よりも多く、通常運転時よりも多くの燃料が連続的に燃料供給空間２５へと噴き付けられるように供給される。燃料極２３を覆っている不純物は連続的な燃料の供給を受ける事によって燃料極２３を覆っている不純物は飛ばされて燃料供給空間２５の一部に集められる復帰動作が行われる（区間ｂ）。またこのとき燃料供給空間の圧力は増加供給制御による消費よりも多い水素発生の為に通常運転で使用する圧力よりも高くなる。復帰動作の後に燃料制御機構３３は停止制御へと移行し、燃料極２３に対する燃料の供給を停止する（ｔ２）。その後発電部２は発電を持続している為に燃料極２３では燃料の消費が続けられ、燃料供給空間３の圧力は低下してくる。そして燃料供給空間３の圧力が通常運転時における圧力まで低下すると、燃料制御機構３３は通常運転時の制御方法に戻る。そして再び水によって燃料極２３への燃料の供給が阻害された時には復帰動作を行う事によって発電性能の回復を行う。
【００５４】
ここで本実施例において燃料制御機構３３が通常運転から増加供給制御へ移行を適切に行う事が求められるが、それには以下に示すように幾つかの方法を挙げる事ができる。
【００５５】
≪制御パターン１≫
燃料制御機構３３は、酸化剤極２２と燃料極２３との間の電圧を検出する手段を備えており、発電部２の電圧が予め定められた所定圧以下となったときに燃料制御機構を通常運転状態から増加供給制御へと移行する。発電部２の動作電圧は使用機器の要求する電力の大きさによって変化するが、通常運転時には０．７V付近の電圧値で動作させる事が望ましい。そして通常運転を持続して行い、不純物が燃料極２３を覆う事による拡散過電圧の増大により電圧値が第1所定値まで低下したときには、燃料制御機構３３はその電圧情報を受けて燃料極部２６に水が溜まったと判定し、通常運転の制御から増加供給制御へと移行する。また本発明において電圧値の第1所定値とは０V以上であればいかなる値に設定しても良いが固体高分子電解質膜２１と触媒層２２１・２３１を含む膜電極接合体の劣化を防ぐという観点から０．２V以上に設定する事が望ましい。
【００５６】
復帰動作によって発電部２の電圧は通常運転時の電圧と同等まで回復する事が望ましいが、ガス拡散層２３２の微細な孔の中に詰まっている不純物は完全に除去する事が難しい為、少なくとも復帰動作後に電圧が回復していれば通常運転時の電圧よりも低い状態でも増加供給制御を終了して通常運転の制御に移行しても良い。
≪制御パターン２≫
燃料制御機構３３は、発電部２の発電状態の電流値を検出する手段を備えており、発電部２の電流が予め定められた所定値以上となったときに燃料制御機構３３を通常運転の制御から増加供給制御へと移行する。発電部２の通常発電時の電流は固体高分子電解質膜２１と酸化剤極２２と燃料極２３によって決定される発電有効面積の大きさによるため、一概にその大きさを述べる事はできないが、制御パターン１に示すように通常運転時に０．７V付近の電圧値に対応する電流値である事が望ましい。また増加供給制御を終了するタイミングも制御パターン１と同様に、少なくとも復帰動作後に電圧が回復した時に、その電圧に対応する値まで電流値が低下していれば、通常運転時の電流よりも低くても良い。
≪制御パターン３≫
燃料制御機構３３は、発電部２の発電時間を検出する手段を備えており、発電部２の発電時間が予め定められた所定時間を経過した時に燃料制御機構３３を通常運転の制御から増加供給制御へと移行する。発電を行う環境温度及び湿度によって変化するが、使用する電子機器での要求電力が一定である場合、時間の経過と共にどれだけの不純物が燃料極２３の表面を覆ってしまったかを予測する事ができる。その為予め燃料極部２６に不純物が溜まり復帰動作が必要になる時間を設定しておき、その燃料制御機構３３において発電部２の発電時間情報を受けて燃料極部２３の表面を不純物が覆ったことを判定し通常運転から増加供給制御への移行を行う。また増加供給制御を終了する際には、増加供給制御を開始してからの時間を検出し、不純物を除去するのに十分な時間が経過した事を検出した段階で増加供給制御の終了を実行する。
【００５７】
通常運転制御から増加供給制御への移行、及び増加供給制御の終了への制御には以上のような制御パターンを適用する事ができる。しかしながら燃料極部２６に溜まった不純物量を検出できる手段であればこれに限らない。また上記の制御パターンにおいては発電部２の発電状況に応じて燃料制御機構３３が動作をする為、燃料制御機構３３には電磁弁が適用される。
【００５８】
またすべての制御パターンに適用できるが、増加供給制御を終了するタイミングについては圧力値によって制御されても良い。燃料制御機構３３は燃料極部２６の燃料の圧力を検出する手段を備えており、停止制御を開始してから燃料極部２６の燃料の圧力が所定値以上になったときに燃料制御機構３３は増加供給制御から停止制御へと移行する。燃料極部２６内の燃料が高圧になりすぎて燃料電池１の破損を防ぐ為に、所定値は燃料電池１が破損する圧力よりも低く設定される。
【００５９】
なお通常運転から増加供給制御への移行と、増加供給制御から通常運転への移行は異なるトリガーにより行なわれても良い。例えば通常運転から増加供給制御への移行は電圧の検出を利用した制御パターン１によって行い、増加供給制御から通常運転への移行は圧力の検出によって行われても良い。
【００６０】
上述のように燃料極２３を不純物が覆ってしまい触媒層２３１に対する燃料の阻害が生じて発電部２の発電性能が低下した場合でも、燃料極２３に対して通常運転時よりも速い速度で燃料を供給する事で、不純物を適切なタイミングで除去する事によって発電部２の発電性能を回復する事が出来る。
（実施の形態２）
本発明の実施の形態２における発電部２を動作したときの発電部２の電圧と燃料の圧力の遷移図を図５に示す。なお、本実施の形態１と同一の部分については同一の符号を付し、同様な構成、動作については説明を省略する。以下図５を用いて本実施の形態２について説明する。
【００６１】
本発明の実施の形態２における発電部２は、実施の形態１の発電部２と同様の構成であるが、燃料制御機構３３の燃料前駆体３２の供給制御方法が異なる。燃料制御機構３２は発電部２の通常運転時における燃料の消費量よりも少ない燃料を発生させるべく燃料前駆体３２の移動を行う減少供給制御を行った後に、通常運転時における燃料の消費量よりも多くの燃料を発生させるべく燃料前駆体３２の移動を行う増加供給制御を行う。
【００６２】
図５の発電部２の電圧及び圧力の遷移図に従って本実施の形態２の説明を行う。発電部２が通常発電を長時間継続すると不純物が燃料極部２６に溜まって燃料極２３が覆われる事により拡散過電圧が上昇し発電部２の発電電圧が低下する。不純物が燃料極部２６に所定量以上溜まったところで燃料制御機構３３は減少供給制御へと移行する（ｔ３）。減少供給制御において燃料の発生量を減少させるには、燃料前駆体３２の供給速度を通常運転時よりも遅くする事や、燃料前駆体３２の供給を完全に停止する事で実現される。燃料供給空間２５に対する燃料の供給量が減少するために燃料供給空間２５の燃料の分圧は徐々に低下する。燃料の分圧の低下は拡散過電圧の増大を引き起こす為、燃料の分圧低下に伴って発電部２の発電電圧が低下する（区間ｃ）。減少供給制御での発電を続け、燃料供給空間２５の燃料の分圧が予め決められた所定圧まで低下した時に、燃料制御機構３３は増加供給制御状態へと移行する（ｔ４）。増加供給制御を一定時間保持している状態において燃料供給源３が発生する燃料の量は該時間における燃料消費量よりも多く、通常運転時よりも多くの燃料が連続的に燃料供給空間２５へと噴き付けられるように供給される。また減少供給制御での発電を行っていた為に燃料供給空間２５の内部圧力は低下しており、実施の形態１または２で示す発電部の構成よりも燃料供給空間２５に対する燃料の供給がより長時間行われる。燃料極２３を覆っている不純物は連続的な燃料の供給を受ける事によって燃料極２３を覆っている不純物は飛ばされて燃料供給空間２５の一部に集められる復帰動作が行われる（区間ｂ）。またこのとき燃料供給空間２５の圧力は増加供給制御による消費よりも多い水素発生の為に通常運転で使用する圧力よりも高くなる。復帰動作の後に燃料制御機構３３は停止制御へと移行し、燃料極２３に対する燃料の供給を停止する（ｔ５）。その後発電部２は発電を持続している為に燃料極２３では燃料の消費が続けられ、燃料供給空間２５の圧力は低下してくる。そして燃料供給空間２５の圧力が通常運転時における圧力まで低下すると、燃料制御機構３３は通常運転時の制御方法に戻る。そして再び水によって燃料極２３への燃料の供給が阻害された時には復帰動作を行う事によって発電性能の回復を行う。
【００６３】
本実施の形態において燃料制御機構３３が通常運転の制御から減少供給制御への切替制御方法は本実施の形態１における制御パターン１から３における通常運転から増加供給制御の切替方法を、及び増加供給制御から通常運転の制御への切替制御方法は本実施の形態１における制御パターン１から３における通常運転から増加供給制御の切替方法を適用できる。
≪制御パターン４≫
燃料制御機構３３は、酸化剤極２２と燃料極２３との間の電圧を検出する手段を備えており、発電部２の電圧が予め定められた所定圧以下となったときに燃料制御機構３３を通常運転状態から減少供給制御へと移行する。発電部２の動作電圧は使用機器の要求する電力の大きさによって変化するが、通常運転時には０．７V付近の電圧値で動作させる事が望ましい。そして通常運転を持続して行い、不純物が燃料極２３を覆う事による拡散過電圧の増大により電圧値が第２所定値まで低下したときには、燃料制御機構３３はその電圧情報を受けて燃料極部２６に水が溜まったと判定し、通常運転の制御から減少供給制御へと移行する。その後、減少供給制御から増加供給制御へ移行する際には、第１所定値まで電圧が低下した時に行うのが好ましい。第２所定値は第１所定値以下あれば良いが、固体高分子電解質膜２１の保護の観点から０．２V以上で設定する事が好ましい。その為第２所定圧は通常運転における電圧よりも低く、第１所定圧よりも高い値で設定される。
【００６４】
増加供給制御に移行してからの挙動は制御パターン１と同様の制御方法である。
【００６５】
≪制御パターン５≫
燃料制御機構３３は、発電部２の発電状態の電流値を検出する手段を備えており、発電部２の電流が予め定められた所定値以上となったときに燃料制御機構３３を通常運転の制御から減少制御へと移行する。発電部２の通常発電時の電流は固体高分子電解質膜２１と酸化剤極２２と燃料極２３によって決定される発電有効面積の大きさによるため、一概にその大きさを述べる事はできないが、制御パターン４に示すように通常運転時に０．７V付近の電圧値に対応する電流値である事が望ましい。通常運転を持続して行い、不純物が燃料極２３を覆う事による拡散過電圧の増大によって電圧値が低下する。電力は電圧と電流の積で与えられる事から、使用機器の要求電力が一定であるとした場合に上述の電圧低下が生じた時にはそれに伴って電流値が増大する。制御パターン４と同様第２所定値に対応する電流値になったときに通常運転から減少供給制御への移行、第１所定値に対応する電流値になったときに減少供給制御を終了し、増加供給制御へと移行する。
【００６６】
増加供給制御に移行してからの挙動は制御パターン２と同様の制御方法である。
≪制御パターン６≫
燃料制御機構３３は、発電部２の発電時間を検出する手段を備えており、発電部２の発電時間が予め定められた所定時間を経過した時に燃料制御機構３３を通常運転の制御から減少制御へと移行する。予め燃料極部２６に不純物が溜まり復帰動作が必要になる時間を設定しておき、その燃料制御機構３３において発電部２の発電時間情報を受けて燃料極部２３の表面を不純物が覆ったことを判定し通常運転から減少供給制御への移行を行う。減少供給制御から増加供給制御への切替は、膜電極接合体の劣化を防ぐ為に発電に必要な燃料の圧力が燃料極に残っている間に行う事が好ましい。減少供給制御における燃料の発生量がわかっている為に、減少供給制御に移行してからの時間と、発電における燃料の使用量と、燃料極部２６の内部容積から、燃料極部２６の内部の燃料残量を計算できる。そこで減少供給制御で燃料極２６の内部の燃料を消費しきる前に増加供給制御へと移行を行う。
【００６７】
増加供給制御に移行してからの挙動は制御パターン３と同様の制御方法である。
【００６８】
またすべての制御パターンに適用できるが、減少供給制御を終了するタイミングについては圧力値によって制御されても良い。燃料制御機構３３は燃料極部２６の燃料の圧力を検出する手段を備えており、停止制御を開始してから燃料極部２６の燃料の圧力が所定値以上になったときに燃料制御機構３３は減少供給制御から増加供給制御へと移行する。なお所定の圧力は通常運転における燃料極部２６の内部圧力よりも低ければ良いが、燃料極部２６への不純物の過度な燃料の不足状態を避ける為に、４０ｋＰａ以上に設定されるとより良い。
なお制御パターン１から３と同様に制御状態の切替はそれぞれ異なるトリガーにより行なわれても良い。
【００６９】
本実施の形態に示す燃料電池１の構成及び制御方法によれば、燃料は通常運転よりも高速度で燃料供給空間２５に対して、より長い時間供給される為、燃料極２３を覆っている不純物の除去をさらに効率よく行う事が出来る。
（実施の形態３）
本発明の実施の形態３における燃料電池１の概略構成図を図６に示す。なお、本実施の形態１または２と同一の部分については同一の符号を付し、同様な構成、動作については説明を省略する。以下図６を用いて本実施の形態４について説明する。
【００７０】
本発明の実施の形態４における燃料電池１は実施の形態１または３における燃料電池１において、発電部２と燃料供給源３との間に燃料弁３５を設けている。燃料弁３５は弁体の開閉状態により、燃料供給源３から発電部２への燃料の移動が可能である開状態と、燃料の移動が出来ない閉状態を有しており、燃料弁３５の開閉動作は燃料制御機構３３の制御と連動して動作する。また燃料弁３５が備えられている場所は燃料供給空間２５の入口から燃料供給源３の出口までの間であればどこであってもよく、図６に示すように発電部２と燃料供給源３が互いに距離があり燃料供給路３４によって接続されている場合には燃料供給路３４に備えられていても良い。
【００７１】
燃料電池１が通常運転において発電をしているときには燃料弁３５は開状態となっている。この状態で発電部２が発電を続けていると、不純物が燃料極部２６に溜まって燃料極２３が覆われる事により拡散過電圧が上昇し発電部２の発電電圧が低下する。不純物が燃料極部２６に所定量以上溜まったところで燃料制御機構３３は減少供給制御へと移行するが、この時同時に燃料弁３５も閉状態へと移行し、燃料弁３５によって発電部２と燃料供給源３の内部空間は遮断された状態となる。この状態で発電部２が発電をする為、燃料供給空間２５の燃料を含む気体の圧力は低下していき、一方で燃料供給源３は発電部２に対して燃料を供給しない為に燃料供給源３の内部圧力は保持、若しくは緩やかに上昇する。そして発電部２の電圧が所定値まで低下し、燃料制御機構３３が第１制御を終了した際に燃料弁３５は開状態へと移行する。このとき発電部２と燃料供給源３の内部空間には上述のように圧力差が生じているために、燃料弁３５が開状態になる事によって燃料は燃料供給部２５に対して勢いよく流入する。このため燃料極２３を覆っている不純物は燃料によって飛ばされやすくなる。
【００７２】
燃料弁３５の開閉動作は燃料電池１の使用者によって制御されても良いが、図６に示すように燃料弁３５は燃料制御機構３３と動作を連動する為に、信号線３６によって燃料制御機構３３の制御情報に関する信号を受けて開閉動作を行う電磁弁であると良い。
【００７３】
また燃料供給源３は内部の燃料前駆体３２の残量がなくなり燃料が発電部２に供給できない場合に、燃料前駆体３２が入った別の燃料供給源３を使用できるように、着脱可能なカートリッジ構造であってもよい。その場合、燃料弁３５は発電部２と燃料供給源３を切り離した時に発電部２側に備えられていると良い。このような構成であれば、交換部材である燃料供給源３に余分な機構を設ける必要事がないので、燃料供給源３の製造コストを低く抑えることができる。また発電部２と燃料供給源３を切り離した際に、切り離した箇所の流路断面を塞ぐ弁機能を備えていれば燃料の漏洩を防ぐ事が出来るが、この弁機能を燃料制御機構３３がもっていても良い。
【００７４】
本実施の形態によれば燃料弁３５によって発電部２と燃料供給源３の間に圧力差が得られる為、復帰動作における燃料供給空間２５に対する燃料の供給速度が上昇し、不純物の除去をより確実に行う事が可能である。
（実施の形態４）
本発明の実施の形態４における燃料電池１の概略図を図７に示す。なお、本実施の形態１から３と同一の部分については同一の符号を付し、同様な構成、動作については説明を省略する。以下図７を用いて本実施の形態４について説明する。
【００７５】
図７に示すように本発明の実施の形態５における燃料電池１は実施の形態４における燃料電池１に加え、燃料極部２６と接続される排出部４と、燃料極部２６と排出部４の間に排出弁４１を備えている。
【００７６】
排出部４は燃料極部２６の燃料供給空間２５と接続されており、燃料供給空間２５に溜まった不純物は排出部４へと移動する事が出来る。この構成における発電部２では、燃料極部２６の内部容積が排出部４によって拡張される為、燃料制御機構３３を減少供給制御から通常運転状態にした場合、燃料極部２６の燃料の内圧が通常運転時で使用される圧力と同等に上昇するまでにより多くの燃料を供給する必要がある。その為、燃料供給空間２５に対して燃料を噴きつける供給をより長時間持続する事が出来る。また実施の形態１から４においては、復帰動作を行った場合、不純物は燃料供給空間２５に留まる為、複数回復帰動作を行い燃料供給空間２５に溜まった不純物の量が増えたとしても不純物の行き場がないが、本実施の形態５においては、排出部４が燃料供給空間２５とは別の箇所に備えられており不純物は排出部４へと移動するためにより多くの復帰動作を行う事が出来る。
【００７７】
また、排出部４への不純物の移動をより確実に行う為には、排出部４は燃料供給空間２５の燃料制御機構３３と離れた箇所、即ち水素流の下流側に備えられている事が望ましい。また発電部２と排出部４との距離がある場合、両構成を配管やチューブ等の排出路４２で接続しても良い。
【００７８】
また、排出部４は取り外しできる構成であるとなお良い。このような構成においては排出部４の内部に不純物がいっぱいに溜まってしまった場合には、排出部４を発電部２から取り外し、排出部４の内部に溜まった不純物を廃棄した後に再び発電部２に取り付ける事で、繰り返し復帰動作が行えるようになる。その場合、排出部４と燃料供給空間２５との間に排出部４１が発電部２側に備えられている事が好ましい。排出部４１は図５に示すように排出路４２上にあってもよいし、発電部２に備えられていても良い。排出部４１は燃料極部２６の内部不純物を排出部４に排出する開状態と、燃料極部２６の内部の不純物を排出部４に排出しない閉状態のいずれか一方の状態をとる弁体である。復帰動作時を含む通常運転時には排出部４１は開状態であり、排出部４を取り外した際に排出部４１を閉状態にする事で燃料供給空間２５と排出部４の接続流路からの燃料の漏洩を防ぐ事が可能となる。
【００７９】
また図７に示すように排出部４が燃料供給源３と同一の交換体に備えられていても良い。このような構成であれば燃料供給源３がカートリッジ構造になっている場合に、交換体の内部の燃料前駆体３２の残量が無くなり新しい交換体と付け変える事で、不純物が排出部４を満たさないような適切なタイミングで排出部４も新しいものと取り替える事が出来る。
【００８０】
本実施の形態によれば復帰動作によって燃料極部２６の内部の不純物をより確実に除去できる事に加え、不純物が排出部４に移動する事で復帰動作をより多くの回数行う事が可能である。
（実施の形態５）
本発明の実施の形態５における発電部２の燃料極部２６の拡大断面図を図８に示す。なお、本実施の形態１から４と同一の部分については同一の符号を付し、同様な構成、動作については説明を省略する。以下図８を用いて本実施の形態５について説明する。
【００８１】
図８に示すように本発明の実施の形態６における発電部２は実施の形態１から５における発電部２に加え、燃料極部２６に燃料流路２６１を有している。燃料供給源３から供給された燃料は燃料極部２６の内部に備えられた燃料流路２６１中を通して燃料極２３へと到達する。燃料流路２６１は燃料極２３に対して燃料を垂直に供給するように備えられている。これにより燃料は燃料極２３に直接噴きつけられる為、燃料極２３を覆っている不純物をより確実に飛ばして除去できる。
【００８２】
また本実施の形態５の変更例の発電部２の燃料極部２６の拡大断面図を図９に示す。図９に示すように本変更例における発電部２は複数の燃料流路２６１を備えている。特に燃料極２３の面積が広い場合には図９に示すような単一の燃料流路２６１では触媒層２３１の全体を覆う不純物は除去する事が難しい。そこで図９に示すように燃料極２３の面に対して複数の燃料流路２６１を備える事により、広い面積を有する触媒層２３の全体を覆うように不純物が存在していた場合も、不純物を確実に除去する事が可能である。また複数の燃料流路２６１の保持と、複数の燃料流路２６１への燃料の分配を行う為に、燃料極部２６を２層に隔離するように隔壁２６２を設けることが望ましい。隔壁２６２を設ける事で燃料は燃料供給源３から燃料制御機構３３を通して、隔壁２６２によって燃料供給空間２５と隔てられた分配空間２５１に行き渡り、その後複数の燃料流路２６１から燃料極２３に対して供給される。
【００８３】
また一つの燃料流路２６１の燃料極２３を覆う不純物の除去範囲を更に広げる為に拡散部２６３を設けても良い。拡散部２６３は燃料流路２６１の燃料極２３と接する箇所から、燃料極２３の面方向に沿うように延伸した部材である。拡散部２６３をさらに備える事によって燃料流路２６１を通ってきた燃料は、拡散部２６３と固体高分子電解質膜２１との間の燃料極２３の中を通って燃料供給空間２５に供給される為、拡散部２６３が設けられた範囲の燃料極２３を覆った不純物を確実に燃料供給空間２５の一部へと移動をする事が出来る。
【００８４】
本実施例によれば復帰動作による燃料極２３を覆う不純物の除去を、より確実に広い範囲で行う事が出来る。
（実施の形態６）
本発明の実施の形態６における発電部２の燃料極部２６の分解斜視図を図１０に示す。なお、本実施の形態１から５と同一の部分については同一の符号を付し、同様な構成、動作については説明を省略する。以下図１０を用いて本実施の形態６について説明する。
【００８５】
本発明の実施の形態６における発電部２は実施の形態５における発電部２の燃料極部２６に加えて、図１０に示すように外壁２４に対して燃料供給空間２５が溝状に設けられている。燃料供給空間２５は蛇行して燃料極２３の面全体に燃料が行き渡るように配置される。また燃料供給空間２５の溝が切られる基面２５２は燃料極２３と接し、外壁２４はステンレスに代表される金属やカーボン等の導電性を有する材料で作られる事が望ましい。上記構成であれば燃料極２３の面全体から集電をする事ができ電気抵抗が低くなるので、より効率の高い発電を行う事が可能である。
【００８６】
また燃料供給空間２５の両端には燃料極部２６の外部と接続される貫通孔が設けられる。貫通孔の一方は燃料供給源３から供給された燃料を燃料供給空間２５へと取り入れる為の供給口２５３であり、もう一方は排出部４へと接続される排出口２５４である。
【００８７】
本実施例における燃料極部２６で発電を持続した時にも燃料供給空間２５に不純物が溜まってしまい燃料３の触媒層２３１への供給が阻害されるが、燃料供給空間２５が溝状であり不純物の導通流路が確保されている為に、復帰動作を行う事によって不純物をより確実に排出部４へと移動する事が出来る。
【００８８】
以上、本発明の一例を説明したが、具体例を説明したに過ぎない。特に本発明を限定するものではなく、各部の具体的構成等は適宜変更可能である。また、各実施の形態及び変更例の作用効果は、本発明から生じる最も好適な作用及び効果を列挙したに過ぎず、本発明による作用及び効果は、各実施の形態及び変更例に記載されたものに限定されるものではない。また明細書においては説明の便宜上、燃料電池は単一のセルによって構成されているが、本発明は支持体に挟持された発電セルを複数有する構造の燃料電池においても適用可能である。
【産業上の利用可能性】
【００８９】
本発明は、燃料電池及び燃料電池装置の産業分野で利用することができる。
【符号の説明】
【００９０】
１  燃料電池
２  発電部
３  燃料供給源
４  排出部
２１  固体高分子電解質膜
２２  酸化剤極
２３  燃料極
２４  外壁
２５  燃料供給空間
２６  燃料極部
３１  反応部
３２  燃料前駆体
３３  燃料制御機構
３４  供給路
３５  燃料弁
３６  信号線
４１  排出弁
４２  排出路
２２１  触媒層（酸化剤極）
２２２  ガス拡散層（酸化剤極）
２３１  触媒層（燃料極）
２３２  ガス拡散層（燃料極）
２５１  分配空間
２５２  基面
２５３  供給口
２５４  排出口
２６１  燃料流路
２６２  隔壁
【図１】
0005723175.tif 000002
【図２】
0005723175.tif 000003
【図３】
0005723175.tif 000004
【図４】
0005723175.tif 000005
【図５】
0005723175.tif 000006
【図６】
0005723175.tif 000007
【図７】
0005723175.tif 000008
【図８】
0005723175.tif 000009
【図９】
0005723175.tif 000010
【図１０】
0005723175.tif 000011